(57)【特許請求の範囲】
【請求項１】
火薬等を貯蔵するための貯蔵倉庫であって、
地上又は地下の設置面上に設置され、火薬等を貯蔵するための倉庫本体と、
前記倉庫本体の外面を覆う第１土層と、
前記第１土層の外面を覆う、遮水性を有する第１シート体と、
前記第１シート体の外面を覆う第２土層と、
前記第２土層の外面を覆い、前記倉庫本体の爆発時における前記第２土層の飛散を抑えるための第２シート体と、
前記第２シート体を前記設置面に固定する固定手段とを備え、
前記第２シート体の所定範囲の破断強度は、他の範囲の破断強度より小さい、貯蔵倉庫。
【請求項２】
前記第２シート体は、複数の引張強度の異なる第１の繊維と複数の引張強度の異なる第２の繊維とを交差するように編むことによって構成され、
前記所定範囲は、前記第１の繊維のうち強度が相対的に低い繊維と、前記第２の繊維のうち強度が相対的に低い繊維とが重なり合う範囲によって規定される、請求項１記載の貯蔵倉庫。
【請求項３】
前記所定範囲は、前記倉庫本体の上方に位置し、
前記第２シート体の外面を覆う第３土層と、
前記第３土層の外面であって、少なくとも前記所定範囲の上方を覆うように設置され、前記倉庫本体の爆発時における前記第３土層の飛散を抑えるための第３シート体とを更に備えた、請求項１又は請求項２記載の貯蔵倉庫。
【請求項４】
前記第２シート体は、複数の第１の繊維と複数の第２の繊維とを交差するように編むことによって構成され、
前記所定範囲は、前記第１の繊維のうち隣接間隔が大きな範囲と、前記第２の繊維のうち隣接間隔が大きな範囲とが重なり合う範囲によって規定される、請求項１記載の貯蔵倉庫。
【請求項５】
前記第２シート体は、複数の第１の繊維と複数の第２の繊維とを交差するように編むことによって構成され、
前記所定範囲の外周位置を通る前記第１の繊維及び前記第２の繊維の少なくとも一部が前記外周位置で切断される、請求項１記載の貯蔵倉庫。
【請求項６】
前記第２シート体は、密度の異なる不織布によって構成され、
前記所定範囲は、前記不織布の相対的に小さな密度の分布範囲によって規定される、請求項１記載の貯蔵倉庫。
【請求項７】
火薬等を貯蔵するための貯蔵倉庫であって、
地上又は地下の設置面上に設置され、火薬等を貯蔵するための倉庫本体と、
前記倉庫本体の外面を覆う第１土層と、
前記第１土層の外面を覆う、遮水性を有する第１シート体と、
前記第１シート体の外面を覆う第２土層と、
前記第２土層の外面を覆い、前記倉庫本体の爆発時における前記第２土層の飛散を抑えるための第２シート体と、
前記第２シート体を前記設置面に固定する第１固定手段と、
前記第２シート体の外面を覆う第３土層と、
前記第３土層の外面を覆い、前記倉庫本体の爆発時における前記第３土層の飛散を抑えるための第３シート体と、
前記第３シート体を前記設置面に固定する第２固定手段とを備え、
前記第２シート体の破断強度は一定であると共に、前記第３シート体の所定範囲の破断強度は他の範囲の破断強度より小さい、貯蔵倉庫。
【請求項８】
火薬等を貯蔵するための貯蔵倉庫であって、
地上又は地下の設置面上に設置され、火薬等を貯蔵するための倉庫本体と、
前記倉庫本体の外面を覆う土層と、
前記土層の外面を覆い、遮水性を有すると共に前記倉庫本体の爆発時における前記土層の飛散を抑えるためのシート体と、
前記シート体を前記設置面に固定する固定手段とを備え、
前記シート体の所定範囲の破断強度は、他の範囲の破断強度より小さい、貯蔵倉庫。
【請求項９】
火薬等を貯蔵するための貯蔵倉庫であって、
地上又は地下の設置面上に設置され、火薬等を貯蔵するための倉庫本体と、
前記倉庫本体の外面を覆い、遮水性を有すると共に前記倉庫本体の爆発時における前記倉庫本体の飛散を抑えるためのシート体と、
前記シート体を前記設置面に固定する固定手段と、
前記シート体の外面を覆う土層とを備え、
前記シート体の所定範囲の破断強度は、他の範囲の破断強度より小さい、貯蔵倉庫。
【請求項１０】
前記シート体は、ゴムシートよりなり、
前記所定範囲は、前記ゴムシートに形成された切れ目によってその周囲が規定される、請求項８又は請求項９記載の貯蔵倉庫。
【請求項１１】
前記シート体は、複数の第１の繊維と複数の第２の繊維とを交差するように編むことによって構成された繊維シートがゴムシートに埋設されて構成され、
前記所定範囲は、前記第１の繊維のうち、強度が相対的に低い繊維と、前記第２の繊維のうち、強度が相対的に低い繊維とが重なり合う範囲によって規定される、請求項８又は請求項９記載の貯蔵倉庫。
【請求項１２】
前記シート体は、複数の第１の繊維と複数の第２の繊維とを交差するように編むことによって構成された繊維シートがゴムシートに埋設されて構成され、
前記所定範囲は、前記第１の繊維のうち、隣接間隔が大きな範囲と、前記第２の繊維のうち、隣接間隔が大きな範囲とが重なり合う範囲によって規定される、請求項８又は請求項９記載の貯蔵倉庫。
【請求項１３】
前記シート体は、複数の第１の繊維と複数の第２の繊維とを交差するように編むことによって構成された繊維シートがゴムシートに埋設されて構成され、
前記所定範囲の外周位置を通る前記第１の繊維及び前記第２の繊維の少なくとも一部が前記外周位置で切断される、請求項８又は請求項９記載の貯蔵倉庫。
【請求項１４】
火薬等を貯蔵するための貯蔵倉庫であって、
地上又は地下の設置面上に設置され、火薬等を貯蔵するための倉庫本体と、
前記倉庫本体の外面を覆う土層と、
前記土層の外面を覆い、少なくとも前記倉庫本体の爆発時における前記土層の飛散を抑える機能を有するシート体と、
前記シート体を前記設置面に固定する固定手段とを備え、
前記シート体の所定範囲の破断強度は、他の範囲の破断強度より小さい、貯蔵倉庫。
【発明の詳細な説明】
【技術分野】
【０００１】
この発明は貯蔵倉庫に関し、特に、爆発危険性を有する火薬類等を貯蔵するための貯蔵倉庫に関するものである。
【背景技術】
【０００２】
従来の火薬類等を貯蔵するための貯蔵倉庫は、コンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
更に、特許文献１と同様に複数の密封式のチューブ群等を用いて、底部となるベース枠、屋根構造及び端壁構造よりなるエヤテント型の貯蔵倉庫が提案されている（特許文献２）。
【先行技術文献】
【特許文献】
【０００４】
【特許文献１】特公平６−２３５１８号公報
【特許文献２】実公昭６２−１９７９４号公報
【発明の概要】
【発明が解決しようとする課題】
【０００５】
上記のような従来の貯蔵倉庫では、火薬類が爆発したときの構造体の破損部分等の飛散に関する問題があった。以下に特許文献１の貯蔵倉庫を例に図で説明する。
【０００６】
図１４は特許文献１で開示された貯蔵倉庫の爆発時における状態を示す概略断面図である。
【０００７】
図を参照して、貯蔵倉庫である地下式倉庫７０は、トンネル７１と、トンネル７１内に設置された複数の密封式チューブ群等よりなる連続構造体７２とから構成されている。そして、連続構造体７２内に設置された火薬等が爆発すると、爆風は図の矢印で示すように放射状に拡散する。従って、地下式倉庫７０が破損するような爆発が発生した場合、爆発によってトンネル７１及び連続構造体７２の破損部分が周囲に広範囲で飛散してしまっていた。
【０００８】
この発明は、上記のような課題を解決するためになされたもので、爆発時における爆発片の飛散方向を制御することができる貯蔵倉庫を提供することを目的とする。
【課題を解決するための手段】
【０００９】
上記の目的を達成するために、請求項１記載の発明は、火薬等を貯蔵するための貯蔵倉庫であって、地上又は地下の設置面上に設置され、火薬等を貯蔵するための倉庫本体と、倉庫本体の外面を覆う第１土層と、第１土層の外面を覆う、遮水性を有する第１シート体と、第１シート体の外面を覆う第２土層と、第２土層の外面を覆い、倉庫本体の爆発時における第２土層の飛散を抑えるための第２シート体と、第２シート体を設置面に固定する固定手段とを備え、第２シート体の所定範囲の破断強度は、他の範囲の破断強度より小さいものである。
【００１０】
このように構成すると、爆発時、第２シート体は所定範囲がまず破断する。
【００１１】
請求項２記載の発明は、請求項１記載の発明の構成において、第２シート体は、複数の引張強度の異なる第１の繊維と複数の引張強度の異なる第２の繊維とを交差するように編むことによって構成され、所定範囲は、第１の繊維のうち強度が相対的に低い繊維と、第２の繊維のうち強度が相対的に低い繊維とが重なり合う範囲によって規定されるものである。
【００１２】
このように構成すると、所定範囲は強度の低い第１の繊維と第２の繊維とで構成される。
【００１３】
請求項３記載の発明は、請求項１又は請求項２記載の発明の構成において、所定範囲は、倉庫本体の上方に位置し、第２シート体の外面を覆う第３土層と、第３土層の外面であって、少なくとも所定範囲の上方を覆うように設置され、倉庫本体の爆発時における第３土層の飛散を抑えるための第３シート体とを更に備えたものである。
【００１４】
このように構成すると、第２シート体を破断して飛散した第２土層等は第３シート体で更に飛散が抑制される。
【００１５】
請求項４記載の発明は、請求項１記載の発明の構成において、第２シート体は、複数の第１の繊維と複数の第２の繊維とを交差するように編むことによって構成され、所定範囲は、第１の繊維のうち隣接間隔が大きな範囲と、第２の繊維のうち隣接間隔が大きな範囲とが重なり合う範囲によって規定されるものである。
【００１６】
このように構成すると、所定範囲は隣接間隔の大きな第１の繊維と第２の繊維とで構成される。
【００１７】
請求項５記載の発明は、請求項１記載の発明の構成において、第２シート体は、複数の第１の繊維と複数の第２の繊維とを交差するように編むことによって構成され、所定範囲の外周位置を通る第１の繊維及び第２の繊維の少なくとも一部が外周位置で切断されるものである。
【００１８】
このように構成すると、所定範囲は一部が切断された第１の繊維と第２の繊維とで構成される。
【００１９】
請求項６記載の発明は、請求項１記載の発明の構成において、第２シート体は、密度の異なる不織布によって構成され、所定範囲は、不織布の相対的に小さな密度の分布範囲によって規定されるものである。
【００２０】
このように構成すると、所定範囲は密度の小さな不織布で構成される。
【００２１】
請求項７記載の発明は、火薬等を貯蔵するための貯蔵倉庫であって、地上又は地下の設置面上に設置され、火薬等を貯蔵するための倉庫本体と、倉庫本体の外面を覆う第１土層と、第１土層の外面を覆う、遮水性を有する第１シート体と、第１シート体の外面を覆う第２土層と、第２土層の外面を覆い、倉庫本体の爆発時における第２土層の飛散を抑えるための第２シート体と、第２シート体を設置面に固定する第１固定手段と、第２シート体の外面を覆う第３土層と、第３土層の外面を覆い、倉庫本体の爆発時における第３土層の飛散を抑えるための第３シート体と、第３シート体を設置面に固定する第２固定手段とを備え、第２シート体の破断強度は一定であると共に、第３シート体の所定範囲の破断強度は他の範囲の破断強度より小さいものである。
【００２２】
このように構成すると、第２シート体で緩和された後の爆発によって、第３シート体は所定範囲がまず破断する。
【００２３】
請求項８記載の発明は、火薬等を貯蔵するための貯蔵倉庫であって、地上又は地下の設置面上に設置され、火薬等を貯蔵するための倉庫本体と、倉庫本体の外面を覆う土層と、土層の外面を覆い、遮水性を有すると共に倉庫本体の爆発時における土層の飛散を抑えるためのシート体と、シート体を設置面に固定する固定手段とを備え、シート体の所定範囲の破断強度は、他の範囲の破断強度より小さいものである。
【００２４】
このように構成すると、爆発時、シート体は所定範囲がまず破断する。
【００２５】
請求項９記載の発明は、火薬等を貯蔵するための貯蔵倉庫であって、地上又は地下の設置面上に設置され、火薬等を貯蔵するための倉庫本体と、倉庫本体の外面を覆い、遮水性を有すると共に倉庫本体の爆発時における倉庫本体の飛散を抑えるためのシート体と、シート体を設置面に固定する固定手段と、シート体の外面を覆う土層とを備え、シート体の所定範囲の破断強度は、他の範囲の破断強度より小さいものである。
【００２６】
このように構成すると、爆発時、シート体は所定範囲がまず破断する。
【００２７】
請求項１０記載の発明は、請求項８又は請求項９記載の発明の構成において、シート体は、ゴムシートよりなり、所定範囲は、ゴムシートに形成された切れ目によってその周囲が規定されるものである。
【００２８】
このように構成すると、切れ目の部分におけるゴムシートの破断強度が低下する。
【００２９】
請求項１１記載の発明は、請求項８又は請求項９記載の発明の構成において、シート体は、複数の第１の繊維と複数の第２の繊維とを交差するように編むことによって構成された繊維シートがゴムシートに埋設されて構成され、所定範囲は、第１の繊維のうち、強度が相対的に低い繊維と、第２の繊維のうち、強度が相対的に低い繊維とが重なり合う範囲によって規定されるものである。
【００３０】
このように構成すると、所定範囲は強度の低い第１の繊維と第２の繊維とで構成される。
【００３１】
請求項１２記載の発明は、請求項８又は請求項９記載の発明の構成において、シート体は、複数の第１の繊維と複数の第２の繊維とを交差するように編むことによって構成された繊維シートがゴムシートに埋設されて構成され、所定範囲は、第１の繊維のうち、隣接間隔が大きな範囲と、第２の繊維のうち、隣接間隔が大きな範囲とが重なり合う範囲によって規定されるものである。
【００３２】
このように構成すると、所定範囲は隣接間隔の大きな第１の繊維と第２の繊維とで構成される。
【００３３】
請求項１３記載の発明は、請求項８又は請求項９記載の発明の構成において、シート体は、複数の第１の繊維と複数の第２の繊維とを交差するように編むことによって構成された繊維シートがゴムシートに埋設されて構成され、所定範囲の外周位置を通る第１の繊維及び第２の繊維の少なくとも一部が外周位置で切断されるものである。
【００３４】
このように構成すると、所定範囲は一部が切断された第１の繊維と第２の繊維とで構成される。
【００３５】
請求項１４記載の発明は、火薬等を貯蔵するための貯蔵倉庫であって、地上又は地下の設置面上に設置され、火薬等を貯蔵するための倉庫本体と、倉庫本体の外面を覆う土層と、土層の外面を覆い、少なくとも倉庫本体の爆発時における土層の飛散を抑える機能を有するシート体と、シート体を設置面に固定する固定手段とを備え、シート体の所定範囲の破断強度は、他の範囲の破断強度より小さいものである。
【００３６】
このように構成すると、爆発時、シート体は所定範囲がまず破断する。
【発明の効果】
【００３７】
以上説明したように、請求項１記載の発明は、爆発時、第２シート体は所定範囲がまず破断するため、爆発による破損部分等の飛散方向を制御することができる。
【００３８】
請求項２記載の発明は、請求項１記載の発明の効果に加えて、所定範囲は強度の低い第１の繊維と第２の繊維とで構成されるため、所定範囲の設定が容易で、その部分での破断が確実に生じる。
【００３９】
請求項３記載の発明は、請求項１又は請求項２記載の発明の効果に加えて、第２シート体を破断して飛散した第２土層等は第３シート体で更に飛散が抑制されるため、より安定した爆発抑制機能が発揮される。
【００４０】
請求項４記載の発明は、請求項１記載の発明の効果に加えて、所定範囲は隣接間隔の大きな第１の繊維と第２の繊維とで構成されるため、所定範囲の設定が容易で、その部分での破断が確実に生じる。
【００４１】
請求項５記載の発明は、請求項１記載の発明の効果に加えて、所定範囲は一部が切断された第１の繊維と第２の繊維とで構成されるため、所定範囲の設定が容易で、その部分での破断が確実に生じる。
【００４２】
請求項６記載の発明は、請求項１記載の発明の効果に加えて、所定範囲は密度の小さな不織布で構成されるため、所定範囲の設定が容易で、その部分での破断が確実に生じる。
【００４３】
請求項７記載の発明は、第２シート体で緩和された後の爆発によって、第３シート体は所定範囲がまず破断するため、爆発の抑制効果が高まると共に、爆発による破損部分等の飛散方向を制御することができる。
【００４４】
請求項８記載の発明は、爆発時、シート体は所定範囲がまず破断するため、爆発による破損部分等の飛散方向を制御することができる。
【００４５】
請求項９記載の発明は、爆発時、シート体は所定範囲がまず破断するため、爆発による破損部分等の飛散方向を制御することができる。
【００４６】
請求項１０記載の発明は、請求項８又は請求項９記載の発明の効果に加えて、切れ目の部分におけるゴムシートの破断強度が低下するため、所定範囲の設定が容易で、その部分での破断が確実に生じる。
【００４７】
請求項１１記載の発明は、請求項８又は請求項９記載の発明の効果に加えて、所定範囲は強度の低い第１の繊維と第２の繊維とで構成されるため、遮水性は損なわず、所定範囲の破断が確実に生じる。
【００４８】
請求項１２記載の発明は、請求項８又は請求項９記載の発明の効果に加えて、所定範囲は隣接間隔の大きな第１の繊維と第２の繊維とで構成されるため、遮水性は損なわず、所定範囲の破断が確実に生じる。
【００４９】
請求項１３記載の発明は、請求項８又は請求項９記載の発明の効果に加えて、所定範囲は一部が切断された第１の繊維と第２の繊維とで構成されるため、遮水性は損なわず、所定範囲の破断が確実に生じる。
【００５０】
請求項１４記載の発明は、爆発時、シート体は所定範囲がまず破断するため、爆発による破損部分等の飛散方向を制御することができる。
【図面の簡単な説明】
【００５１】
【図１】この発明の第１の実施の形態による貯蔵倉庫の外観形状を示す平面図である。
【図２】図１で示したＩＩ−ＩＩラインの断面図である。
【図３】図２で示したＩＩＩ−ＩＩＩラインから見た第２シート体を示す平面図である。
【図４】図２で示した貯蔵倉庫の爆発時の状態を示す概略断面図である。
【図５】図３で示した第２シート体の他の構造を示す図である。
【図６】この発明の第２の実施の形態による貯蔵倉庫の所定範囲部分の概略断面図である。
【図７】この発明の第３の実施の形態による貯蔵倉庫の概略断面図である。
【図８】この発明の第４の実施の形態による貯蔵倉庫の概略断面図である。
【図９】この発明の第５の実施の形態による貯蔵倉庫の概略断面図である。
【図１０】図９で示したＸ部分の拡大図である。
【図１１】この発明の第６の実施の形態による貯蔵倉庫の所定範囲部分の概略断面図である。
【図１２】この発明の第７の実施の形態による貯蔵倉庫の概略断面図である。
【図１３】この発明の第８の実施の形態による貯蔵倉庫の概略断面図である。
【図１４】従来の貯蔵倉庫の爆発時における状態を示す概略断面図である。
【発明を実施するための形態】
【００５２】
図１はこの発明の第１の実施の形態による貯蔵倉庫の外観形状を示す平面図であり、図２は図１で示したＩＩ−ＩＩラインの断面図である。
【００５３】
これらの図を参照して、貯蔵倉庫１１の中心となる、火薬類等が貯蔵されている倉庫本体１９は、地面である設置面７上に設置されている。倉庫本体１９は、その材質は限定しないが、以下に述べるようなその外面に設置する構造体等を保持できるような強度を有する構造であれば良い。
【００５４】
倉庫本体１９の外面であって設置面７より上の面が第１土層３１で覆われており、その外面が第１シート体２１によって覆われている。第１シート体２１は総ゴム製の遮水シートが用いられており、第１シート体２１の内方側に位置する倉庫本体１９及び第１土層３１への雨水等の浸入を阻止する遮水機能を有している。
【００５５】
又、第１シート体２１の外面は第２土層３２で覆われており、その外面が第２シート体２２によって覆われている。更に、第２シート体２２の外面は第３土層３３で覆われている。第２シート体２２は、天然繊維、合成繊維又は金属繊維等の織布よりなる補強用シートが用いられており、倉庫本体１９の一定の大きさ未満の爆発時における第２土層３２の飛散を抑えるように、その網目間隔及び繊維強度等が決定されている。即ち、第２シート体２２は爆発抑制機能を有している。
【００５６】
又、各々が第２シート体２２の上方側に位置すると共に第２シート体２２の長手方向（図２の貫通方向）に所定間隔で並ぶ、図１の二点鎖線及び図２の破線で示す幅Ａの複数の所定範囲９ａ〜９ｃの破断強度は、他の範囲の破断強度より小さくなるように設定されている。第２シート体２２における所定範囲９ａ〜９ｃ部分の具体的な構造及び効果については後述する。
【００５７】
又、第２シート体２２の設置面７側の端部となる平坦部４１ａ、４１ｂの各々は、固定手段の一例となるアンカーボルト等の複数の固定部材４２ａ、４２ｂによって長手方向に連続的に設置面７に固定されている。平坦部４１ａ、４１ｂの幅や強度及び固定部材４２ａ、４２ｂの設置間隔は、第２シート体２２において必要な爆発抑制機能の程度に応じて設定すれば良い。
【００５８】
又、このような貯蔵倉庫１１は、図２の二点鎖線で示すように、地下に設置される貯蔵倉庫１１に対しても同様に適用することができる。以下に、上述した地上に設置される貯蔵倉庫１１と相違する点を中心に説明する。
【００５９】
図２を参照して、倉庫本体１９は、地面５を掘削して形成された掘削底面である設置面７上に設置されている。又、第２シート体２２の外面は、その上面が地面５に整列した第３土層３３によって覆われている。即ち、掘削側面４４ａ、４４ｂを含め掘削部分の残りが全て第３土層３３で埋められることになる。尚、このような第３土層３３を第２シート体２２の固定手段とし、第２シート体２２の平坦部４１ａ、４１ｂを設置面７上に固定しても良い。その場合、上述したアンカーボルト等の固定部材４２ａ、４２ｂは無くても良い。又は、第３土層３３と固定部材４２ａ、４２ｂとを併せて固定手段として使用しても良い。
【００６０】
尚、このような地下に設置される貯蔵倉庫１１における効果については、後述する地上に設置される貯蔵倉庫１１と同様であることは言うまでも無い。
【００６１】
ここで、第２シート体２２における所定範囲９ａ〜９ｃ部分の具体的な構造について説明する。
【００６２】
図３は図２で示したＩＩＩ−ＩＩＩラインから見た第２シート体を示す平面図である。
【００６３】
図を参照して、第２シート体２２は、第１の繊維である複数の縦糸５１、５２と、第２の繊維である複数の横糸５３、５４とを直交するように編むことによって構成されている。尚、実線で示す縦糸５１と一点鎖線で示す縦糸５２とは引張強度の異なるものが使用されており、縦糸５２の各々には、その引張強度が縦糸５１の引張強度より低いものが使用されている。実線で示す横糸５３と一点鎖線で示す横糸５４との関係についても同様である。
【００６４】
このような第２シート体２２においては、引張強度が相対的に低い縦糸５２と横糸５４とが交差して重なり合う、図のハッチングで示す範囲が所定範囲９として規定される。従って、所定範囲９の破断強度が他の範囲の破断強度より小さくなる。このように、第２シート体２２の所定範囲９が相対的に引張強度の低い縦糸５２と横糸５４とで構成されるため、所定範囲９の位置や強度等の設定が容易になると共に、後述する所定範囲９部分での破断が確実に生じる。
【００６５】
次に、倉庫本体１９の爆発時における貯蔵倉庫１１の安全性、及び第２シート体２２の所定範囲９部分による効果について説明する。
【００６６】
図４は図２で示した貯蔵倉庫の爆発時の状態を示す概略断面図であって、（１）は爆発直後の状態を示すものであって、（２）は爆発によって第２シート体の所定範囲が破断した状態を示すものである。
【００６７】
まず（１）を参照して、倉庫本体１９に収納されている火薬類がなんらかの原因で爆発すると、図の矢印で示すように周囲にその破片が飛散したり爆風が放射状に拡散する。しかし、倉庫本体１９の設置面７より上の周囲は第２シート体２２で覆われているため、一定の大きさ未満の爆発の場合、破片や爆風は第２シート体２２により抑制される。又、第２シート体２２は倉庫本体１９の外方を覆うと共に、その平坦部４１ａ、４１ｂが設置面７に固定されているため、第２シート体２２は爆風等によって捲りあがることが無い。その結果、第２シート体２２が破損しない状態では、倉庫本体１９を包囲した第２シート体２２に伝達された爆風等の外部への拡散が抑制されるため、周囲の安全性が向上する。尚、設置面７の方向に拡散した爆風は地面に吸収され、設置面７より上の周囲に影響を与えることは無い。
【００６８】
尚、第１シート体２１も倉庫本体１９を包囲するように設置されているが、第１シート体２１はあくまで遮水機能としての役割を果たすものである。従って、倉庫本体１９の爆発を抑制する機能を有する必要は無く、爆風等によって外部に拡散する虞がある強度であっても良い。
【００６９】
このように、貯蔵倉庫１１においては、第１シート体２１と第２シート体２２とが遮水機能と爆発抑制機能とを分担している。従って、例えばゴムシートの内部に織布を埋設したような、遮水機能と爆発抑制機能とが一体化したシート体を１枚用いる貯蔵倉庫の場合に比べて、効率的な配置が可能となる。即ち、各々の機能を要する範囲に第１シート体２１と第２シート体２２とを設置すれば良いため、第１シート体２１と第２シート体２２との設置範囲に無駄が無くなる。
【００７０】
又、第２シート体２２の外面が第３土層３３によって覆われているため、第２シート体２２の設置状態が安定すると共に、倉庫本体１９の爆発によって伝達された爆風等による第２シート体２２の浮き上がりが、第３土層３３によって確実に防止されることになる。従って、第２シート体２２の爆発抑制機能が向上する。
【００７１】
尚、第１土層３１、第２土層３２及び第３土層３３の土の種類や施工厚さは、倉庫本体１９内に貯蔵される火薬類の爆発力による第２シート体２２への影響等に応じて、種々の構造に決定すれば良い。
【００７２】
次に（２）を参照して、一定の大きさ以上の爆発の場合、即ち第２シート体２２による爆発抑制機能を超える大きさの爆発が発生すると、第２シート体２２は、相対的に破断強度の低い所定範囲９の部分がまず破断する。すると、所定範囲９は第２シート体２２の上方側に位置しているため、図の矢印で示すように破断した所定範囲９を介して爆風等が上方を向いて外方に集中的に開放される。即ち、破断した所定範囲９以外の部分の方向への飛散が抑制されているため、爆発による土層や倉庫本体１９等の破損部分が上方へ飛散するように制御される。
【００７３】
又、貯蔵倉庫１１の設置時においては、爆発による破損部分等の周囲への飛散距離によって制約を受ける場合がある。しかしながら、上述したように爆発による破損部分等の飛散方向を上方向（高さ方向）となるように制御することによって、周囲への飛散の影響を減少させることが可能となる。
【００７４】
次に、図３で示した織布よりなる第２シート体２２は特定構造によって所定範囲９が規定されているが、他の構造によって所定範囲９が規定される織布よりなる第２シート体２２について説明する。
【００７５】
図５は図３で示した第２シート体の他の構造を示す図である。
【００７６】
まず（１）を参照して、この構造による第２シート体２２は、第１の繊維である複数の縦糸５１と、第２の繊維である複数の横糸５３とを直交するように編むことによって構成されている。尚、縦糸５１及び横糸５３の各々の破断強度は同一である。又、図で示すように、縦糸５１の各々は異なる隣接間隔Ｗ１、Ｗ２で配置されており、Ｗ１はＷ２より大きくなるように設定されている。横糸５３においても第１の繊維５１と同様である。
【００７７】
このような第２シート体２２においては、各々の隣接間隔がＷ１となるように配置された範囲の縦糸５１の各々と、該範囲と同一の範囲の横糸５３の各々とが交差して重なり合う、図のハッチングで示す範囲が相対的に破断強度の低い所定範囲９として規定される。
【００７８】
次に（２）を参照して、この構造による第２シート体２２は、第１の繊維である複数の縦糸５１と、第２の繊維である複数の横糸５３とを直交するように編むことによって構成されている。尚、縦糸５１及び横糸５３の各々の破断強度は同一である。又、図のハッチングで示す所定範囲９の外周位置を通る縦糸５１及び横糸５３の各々の一部が切断されている。これによって、所定範囲９の破断強度が他の範囲より低くなる。
【００７９】
尚、（１）及び（２）で示した構造よりなる第２シート体２２においては、図３で示した第２シート体２２と同様に、所定範囲９の位置や強度等の設定が容易になると共に、所定範囲９部分での破断が確実に生じることになる。
【００８０】
図６はこの発明の第２の実施の形態による貯蔵倉庫の所定範囲部分の概略断面図であって、第１の実施の形態の図２の拡大図に相当するものである。
【００８１】
図を参照して、基本的な構成は第１の実施の形態の貯蔵倉庫と同一であるので、ここではその相違点について主に説明する。
【００８２】
この実施の形態による貯蔵倉庫の第２シート体２２は、不織布で構成されている点が大きく異なっている。そして、第２シート体２２の破線で示す所定範囲９の部分の不織布の密度は、他の範囲の密度より小さくなるように設定されている。そのため、所定範囲９の破断強度は他の範囲より低くなる。
【００８３】
このように、第２シート体２２の所定範囲９は相対的に密度の小さな不織布で構成されているため、所定範囲９の位置や強度等の設定が容易になると共に、所定範囲９部分での破断が確実に生じることになる。従って、所定範囲９による効果を含む種々の効果も第１の実施の形態と同様となる。
【００８４】
尚、第１の実施の形態による貯蔵倉庫と同様、この実施の形態による貯蔵倉庫は地上又は地下のいずれにも設置できることは言うまでも無い。
【００８５】
図７はこの発明の第３の実施の形態による貯蔵倉庫の概略断面図であって、第１の実施の形態の図２に対応するものである。
【００８６】
この実施の形態による貯蔵倉庫１３にあっては、相対的に破断強度の低い所定範囲９を有する第３シート体２３と遮水性を有する第１シート体２１との間に、第２シート体２２が更に設置されている点を除いては、第１の実施の形態による貯蔵倉庫と同一である。
【００８７】
即ち、第１シート体２１の外面が第２土層３２で覆われており、その外面が第２シート体２２で覆われている。第２シート体２２は織布又は不織布よりなる補強用シートが用いられており、全体の破断強度が一定となるように設定されている。又、第２シート体２２の設置面７側の端部となる平坦部４１ａ、４１ｂの各々は、第１固定手段の一例となるアンカーボルト等の複数の固定部材４２ａ、４２ｂによって長手方向に連続的に設置面７に固定されている。即ち、第２シート体２２は、倉庫本体１９の爆発時における第２土層３２の飛散を抑える爆発抑制機能を有している。
【００８８】
又、第２シート体２２の外面が第３土層３３で覆われており、その外面が第３シート体２３で覆われている。更に、第３シート体２３の外面が第４土層３４で覆われている。第３シート体２３は、図２で示した第２シート体と同一のものが使用されていると共に、その機能及び設置形態等も同一である。
【００８９】
貯蔵倉庫１３はこのように構成されているため、倉庫本体１９の爆発は第２シート体２２によって緩和された後、第３シート体２３の内面に到達する。そして、第２シート体２２によって緩和された爆発が一定の大きさ以上の場合、第３シート体２３は所定範囲９がまず破断することになる。従って、貯蔵倉庫１３は爆発の抑制効果が向上すると共に、第１の実施の形態による貯蔵倉庫と同様に爆発による破損部分等の飛散方向を制御することができる。
【００９０】
尚、第１の実施の形態による貯蔵倉庫と同様、図で示す地上に設置される場合に限らず、貯蔵倉庫１３は地下に設置される場合であっても同様に適用することができる。
【００９１】
図８はこの発明の第４の実施の形態による貯蔵倉庫の概略断面図であって、第１の実施の形態の図２に対応するものである。
【００９２】
この実施の形態による貯蔵倉庫１４にあっては、特に第２シート体２２の上方に第３シート体２３を更に設置している点を除いては、地下に設置される第１の実施の形態による貯蔵倉庫と同一である。即ち、第２シート体２２の外面が第３土層３３で覆われており、第３土層３３の上面３８には、第２シート体２２の所定範囲９を含む上方を覆うように平面状に設置された第３シート体２３が設置されている。更に、第３シート体２３の上面が第４土層３４によって覆われている。第３シート体２３は織布又は不織布で構成されていると共に、全体の破断強度が一定となるように設定されている。
【００９３】
このような貯蔵倉庫１４では、爆発によって第２シート体２２の所定範囲９を破断して上方に飛散する第２土層３２等が、第３シート体２３によって更にその飛散が抑制されることになる。従って、より安定した爆発抑制機能が発揮される。その際、平面状に設置された第３シート体２３は、その上面が第４土層３４によって覆われているため、爆発時における捲り上がりが防止される。
【００９４】
尚、第１の実施の形態による貯蔵倉庫と同様、図で示す地下に設置される場合に限らず、この実施の形態による貯蔵倉庫は地上に設置される場合であっても同様に適用することができる。
【００９５】
図９はこの発明の第５の実施の形態による貯蔵倉庫の概略断面図であって、第１の実施の形態の図２に対応するものであり、図１０は図９で示したＸ部分の拡大図である。
【００９６】
図を参照して、火薬類等が設置されている倉庫本体１９の外面であって設置面７より上の面が第１土層３１で覆われており、その外面がシート体２５によって覆われている。更に、シート体２５の外面が第２土層３２で覆われている。
【００９７】
シート体２５は、図３で示した第２シート体２２を構成する繊維シートである織布２６がゴムシート２７に埋設されたものが使用されている。即ち、遮水機能と爆発抑制機能とを併せ持つ一体型のシート体２５となる。又、上述した通り、織布２６は相対的に破断強度の低い範囲を有しているため、ゴムシート２７による遮水性は損なわず、この範囲に対応してシート体２５の破線で示す所定範囲９が規定される。
【００９８】
又、シート体２５の設置面７側の端部となる平坦部４１ａ、４１ｂの各々は、固定手段の一例となるアンカーボルト等の複数の固定部材４２ａ、４２ｂによって長手方向に連続的に設置面７に固定されている。
【００９９】
このように、遮水機能と爆発抑制機能とを併せ持つシート体２５によって、第１の実施の形態による貯蔵倉庫と同様に、倉庫本体１９及び第１土層３１への雨水等の浸入を防止すると共に、倉庫本体１９の爆発による第１土層３１の飛散を抑制することができる。又、シート体２５の所定範囲９の破断強度が他の範囲より低くなるため、爆発による破損部分等の飛散方向を制御することができる。
【０１００】
尚、第１の実施の形態による貯蔵倉庫と同様、図で示す地上に設置される場合に限らず、貯蔵倉庫１５は地下に設置される場合であっても同様に適用することができる。
【０１０１】
図１１はこの発明の第６の実施の形態による貯蔵倉庫の所定範囲部分の概略断面図であって、第５の実施の形態の図１０に対応するものである。
【０１０２】
図を参照して、基本的な構成は第５の実施の形態の貯蔵倉庫と同一であるので、ここではその相違点について主に説明する。
【０１０３】
この実施の形態による貯蔵倉庫のシート体２５は、ゴムシートのみで構成されている点が大きく異なっている。そして、シート体２５の破線で示す所定範囲９の周囲には切れ目５７が形成されている。この切れ目５７によって、所定範囲９の周囲の破断強度が他の範囲より低くなるため、第５の実施の形態と同様の効果を奏すると共に、所定範囲９の設定が容易で、その部分での破断が確実に生じる。
【０１０４】
尚、第５の実施の形態による貯蔵倉庫と同様、この実施の形態による貯蔵倉庫は地上又は地下のいずれにも設置できることは言うまでも無い。
【０１０５】
図１２はこの発明の第７の実施の形態による貯蔵倉庫の概略断面図であって、第５の実施の形態の図９に対応するものである。
【０１０６】
図を参照して、基本的な構成は第５の実施の形態の貯蔵倉庫と同一であるので、ここではその相違点について主に説明する。
【０１０７】
この実施の形態による貯蔵倉庫１７にあっては、シート体２５の外面側の構造が大きく異なっている。即ち、貯蔵倉庫１７は、図９で示したシート体２５の外面を覆う第２土層３２を備えておらず、シート体２５の外面が露出した状態となっている。
【０１０８】
このような貯蔵倉庫１７においては、図１０で示した第２土層３２を設置する必要が無くなるため、施工の手間を省くことができ、貯蔵倉庫１７の設置工程をより簡略化することができる。
【０１０９】
尚、第５の実施の形態による貯蔵倉庫と同様、図で示す地上に設置される場合に限らず、貯蔵倉庫１７は地下に設置される場合であっても適用することができる。その場合、シート体２５の側面と掘削側面との間に土層を設け、シート体２５の上面が露出するように構成すれば良い。
【０１１０】
図１３はこの発明の第８の実施の形態による貯蔵倉庫の概略断面図であって、第５の実施の形態の図９に対応するものである。
【０１１１】
この実施の形態による貯蔵倉庫１８にあっては、シート体２５の設置位置及び設置形状を除いては、第５の実施の形態による貯蔵倉庫と同一である。即ち、倉庫本体１９の外面は、土層を介さずに直接シート体２５に覆われている。
【０１１２】
このような貯蔵倉庫１８においては、シート体２５で直接倉庫本体１９を遮水すると共にその爆発を抑制することになるため、第５の実施の形態による貯蔵倉庫に比べて、シート体２５の使用量を抑えることができる。即ち、コスト的に有利な貯蔵倉庫１８となる。
【０１１３】
尚、第５の実施の形態による貯蔵倉庫と同様、図で示す地上に設置される場合に限らず、貯蔵倉庫１８は地下に設置される場合であっても同様に適用することができる。
【０１１４】
尚、上記の各実施の形態では、種々の機能を有するシート体が用いられているが、少なくとも爆発抑制機能を有すると共に、相対的に破断強度の低い所定範囲を有するシート体があれば、他の機能を有するシート体は無くても良い。
【０１１５】
又、上記の各実施の形態では、平面視において各々が一定間隔で長手方向に並ぶ特定形状の所定範囲がシート体の上方に位置するように設定されているが、例えば平面視において長手方向に連続する帯状に形成する等、爆風の飛散方向を制御することができれば、所定範囲は他の形状であっても良い。又、貯蔵倉庫の設置条件によっては、例えば所定範囲をシート体の側面に位置させる等、爆風の飛散方向を上方以外の他の方向に制御するようにしても良い。
【０１１６】
更に、上記の各実施の形態では、各シート体の設置形態については上面が平面状の特定形状としているが、各シート体の上面が平面状に形成されていなくても、例えば倉庫本体の外方を覆うアーチ状に形成する等、各シート体は他の設置形態であっても良い。その際、設置時にできるだけ角部等が現れないように設置すれば、シート体の破断を防止する意味で好ましい。
【０１１７】
更に、上記の各実施の形態では、倉庫本体はその外面が矩形断面形状を有する特定形状に形成されているが、例えば上部が半円状の断面形状を有するもの等、火薬等が貯蔵できるように形成されていれば、他の形状であっても良い。
【０１１８】
更に、上記の各実施の形態では、爆発抑制機能を有するシート体はアンカーボルト等の固定手段によって設置面に固定されているが、該シート体の側面又は外面を覆う土層の圧力又は土層との摩擦抵抗によって、該シート体がその機能を確保できるような設置状態が保持される場合、アンカーボルト等は無くても良い。
【０１１９】
更に、上記の第１〜第４の実施の形態では、遮水機能を有するシート体は総ゴム製のシートを用いているが、例えば塩化ビニルやポリエチレン等よりなる合成樹脂製のシート、又は金属製のシート等、遮水性を有するものであれば、他の素材のシートであっても良い。
【０１２０】
更に、上記の第１〜第４の実施の形態では、爆発抑制機能を有するシート体は所定範囲の有無を問わず織布又は不織布よりなるシートを用いているが、爆発抑制機能を有すると共に、所定範囲を有する場合は所定範囲の破断強度が他の範囲より低くなるように構成されていれば、例えば金網、又は樹脂ネット等を用いても良い。
【０１２１】
更に、上記の第１〜第４の実施の形態では、爆発抑制機能を有するシート体を１枚又は２枚設置しているが、より大きな爆発力に応じて、該シート体を３枚以上設置するように構成しても良い。その際、相対的に強度の低い所定範囲を有する該シート体は少なくとも１枚あれば良い。又は、複数の該シート体に所定範囲を設定し、これらの該シート体の各々の所定範囲が特定方向に整列するように設置しても良い。
【０１２２】
更に、上記の第１〜第４及び第８の実施の形態では、最外方に位置するシート体の外面が土層によって覆われているが、最外方に位置するシート体の外面を覆う土層は無くても良い。
【０１２３】
更に、上記の第４の実施の形態では、特定形状の第３シート体が設置されているが、少なくとも第２シート体の所定範囲の上方を覆うように設置されていれば、第３シート体は他の形状であっても良い。
【０１２４】
更に、上記の第５の実施の形態では、図３で示した特定形状の織布がゴムシートに埋設されたシート体を使用しているが、図５で示す他の形態の織布をゴムシートに埋設したシート体を使用しても良い。
【０１２５】
更に、上記の第５〜第８の実施の形態では、各々が特定のシート体を使用しているが、各々が使用しているシート体を他の実施の形態において使用しても良いことは言うまでも無い。又は、遮水性及び爆発抑制機能を有すると共に、所定範囲の破断強度が他の範囲より低くなるように構成されているものであれば、他の素材のシート体を使用しても良い。
【符号の説明】
【０１２６】
７…設置面
９…所定範囲
１１、１３〜１５、１７、１８…貯蔵倉庫
１９…倉庫本体
２１…第１シート体
２２…第２シート体
２３…第３シート体
２５…シート体
２６…織布
２７…ゴムシート
３１…第１土層
３２…第２土層
３３…第３土層
３８…上面
４２…固定部材
５１、５２…縦糸
５３、５４…横糸
５７…切れ目
尚、各図中同一符号は同一又は相当部分を示す。
【図１】
0005583548.tif 000002
【図２】
0005583548.tif 000003
【図３】
0005583548.tif 000004
【図４】
0005583548.tif 000005
【図５】
0005583548.tif 000006
【図６】
0005583548.tif 000007
【図７】
0005583548.tif 000008
【図８】
0005583548.tif 000009
【図９】
0005583548.tif 000010
【図１０】
0005583548.tif 000011
【図１１】
0005583548.tif 000012
【図１２】
0005583548.tif 000013
【図１３】
0005583548.tif 000014
【図１４】
0005583548.tif 000015